(57)【特許請求の範囲】
【請求項１】
上位装置からの多重状態加入者回路制御信号が加入者線多重分配装置で加入者回路対応の加入者回路制御信号として分離された上、該当加入者回路各々に伝送されている状態で、加入者線多重分配装置において、該加入者線多重分配装置自体での障害発生、または上位装置からの多重状態加入者回路制御信号に対する常時監視により上位装置との間の接続回線の何れかでの障害発生が検出された際には、該加入者線多重分配装置から加入者回路各々への加入者回路制御信号は異常パターン信号に置換された状態として伝送され、加入者回路各々では、該異常パターン信号にもとづき制御状態が直前正常状態に保持された状態で、該異常パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、正常状態に復帰されるまでの間、障害発生を示す旨のトーキ音声が、トーキ音声の加入者端末への送出指示を示す制御信号と多重化された状態として加入者回路各々に伝送されることによって、該加入者回路各々から対応加入者端末には、障害発生を示す旨のトーキ音声が通知されるようにした加入者端末各々への障害情報通知方法。
【請求項２】
上位装置からの多重状態加入者回路制御信号が加入者線多重分配装置で加入者回路対応の加入者回路制御信号として分離された上、該当加入者回路各々に伝送されている状態で、加入者線多重分配装置において、上位装置からの多重状態加入者回路制御信号に対する常時監視により上位装置との間の接続回線の何れかでの障害発生が検出された際には、該加入者線多重分配装置から加入者回路各々への加入者回路制御信号のうち、障害発生に係る接続回線からの加入者回路制御信号のみが異常パターン信号に置換された状態として伝送され、加入者回路各々では、該異常パターン信号にもとづき制御状態が直前正常状態に保持された状態で、該異常パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、障害発生に係る接続回線が正常状態に復帰されるまでの間、障害発生を示す旨のトーキ音声が、トーキ音声の加入者端末への送出指示を示す制御信号と多重化された状態として、自己リセット状態にある加入者回路各々のみに伝送されることによって、該加入者回路各々から対応加入者端末には、障害発生を示す旨のトーキ音声が通知されるようにした加入者端末各々への障害情報通知方法。
【請求項３】
上位装置からの多重状態加入者回路制御信号が加入者線多重分配装置で加入者回路対応の加入者回路制御信号として分離された上、該当加入者回路各々に伝送されている状態で、加入者線多重分配装置において、該加入者線多重分配装置自体での障害発生、または上位装置からの多重状態加入者回路制御信号に対する常時監視により上位装置との間の接続回線の何れかでの障害発生が検出された際には、該加入者線多重分配装置から加入者回路各々への加入者回路制御信号は異常パターン信号に置換された状態として伝送され、加入者回路各々では、該異常パターン信号にもとづき制御状態が直前正常状態に保持された状態で、該異常パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、障害発生を示す旨のトーキ音声が、トーキ音声の加入者端末への送出指示を示す制御信号と多重化された状態として加入者回路各々に伝送されることによって、該加入者回路各々から対応加入者端末には、障害発生を示す旨のトーキ音声が通知されるようにし、該トーキ音声が通知されている状態で、障害除去により正常状態に復帰された際には、加入者線多重分配装置から加入者回路各々への、トーキ音声の加入者端末への送出指示を示す制御信号は異常パターン信号に置換された状態として伝送され、加入者回路各々では、該異常パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、上位装置からの多重状態加入者回路制御信号が、加入者回路対応に分離された状態として該当加入者回路各々に伝送されるようにした加入者端末各々への障害情報通知方法。
【請求項４】
上位装置からの多重状態加入者回路制御信号が加入者線多重分配装置で加入者回路対応の加入者回路制御信号として分離された上、該当加入者回路各々に伝送されている状態で、加入者線多重分配装置において、上位装置からの多重状態加入者回路制御信号に対する常時監視により上位装置との間の接続回線の何れかでの障害発生が検出された際には、該加入者線多重分配装置から加入者回路各々への加入者回路制御信号のうち、障害発生に係る接続回線からの加入者回路制御信号のみが異常パターン信号に置換された状態として伝送され、加入者回路各々では、該異常パターン信号にもとづき制御状態が直前正常状態に保持された状態で、該異常パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、障害発生を示す旨のトーキ音声が、トーキ音声の加入者端末への送出指示を示す制御信号と多重化された状態として、自己リセット状態にある加入者回路各々のみに伝送されることによって、該加入者回路各々から対応加入者端末には、障害発生を示す旨のトーキ音声が通知されるようにし、該トーキ音声が通知されている状態で、障害除去により障害発生に係る接続回線が正常状態に復帰された際には、加入者線多重分配装置から加入者回路各々への、トーキ音声の加入者端末への送出指示を示す制御信号は異常パターン信号に置換された状態として伝送され、加入者回路各々では、該異常パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、上位装置からの多重状態加入者回路制御信号のうち、正常状態に復帰された接続回線からの多重状態加入者回路制御信号が、加入者回路対応に分離された状態として該当加入者回路各々に伝送されるようにした加入者端末各々への障害情報通知方法。
【請求項５】
上位装置からの、フレーム先頭識別用マルチフレーム信号をそれぞれ含む複数フレームとしての多重状態加入者回路制御信号が加入者線多重分配装置で加入者回路対応の加入者回路制御信号として分離された上、該当加入者回路各々に伝送されている状態で、加入者線多重分配装置において、該加入者線多重分配装置自体での障害発生、または上位装置からの多重状態加入者回路制御信号に対する常時監視により上位装置との間の接続回線の何れかでの障害発生が検出された際には、該加入者線多重分配装置から加入者回路各々への加入者回路制御信号は、異常マルチフレーム信号を含むパターン信号に置換された状態として伝送され、加入者回路各々では、該パターン信号にもとづき制御状態が直前正常状態に保持された状態で、該パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、障害発生を示す旨のトーキ音声が、トーキ音声の加入者端末への送出指示を示す制御信号と多重化された状態として加入者回路各々に伝送されることによって、該加入者回路各々から対応加入者端末には、障害発生を示す旨のトーキ音声が通知されるようにし、該トーキ音声が通知されている状態で、障害除去により正常状態に復帰された際には、加入者線多重分配装置から加入者回路各々への、トーキ音声の加入者端末への送出指示を示す制御信号は、異常マルチフレーム信号を含むパターン信号に置換された状態として伝送され、加入者回路各々では、該パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、上位装置からの多重状態加入者回路制御信号が、加入者回路対応に分離された状態として該当加入者回路各々に伝送されるようにした加入者端末各々への障害情報通知方法。
【請求項６】
上位装置からの多重状態加入者回路制御信号が加入者線多重分配装置で加入者回路対応の加入者回路制御信号として分離された上、該当加入者回路各々に伝送されている状態で、加入者線多重分配装置において、該加入者線多重分配装置自体での障害発生、または上位装置からの多重状態加入者回路制御信号に対する常時監視により上位装置との間の接続回線の何れかでの障害発生が検出された際には、該加入者線多重分配装置から加入者回路各々への加入者回路制御信号は異常パターン信号に置換された状態として伝送され、加入者回路各々では、該異常パターン信号にもとづき制御状態が直前正常状態に保持された状態で、該異常パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、障害発生を示す旨のトーキ音声がトーキ音声源としてのＲＯＭから、トーキ音声の加入者端末への送出指示を示す制御信号等と多重化された状態のハイウェイ形式で加入者回路各々に伝送されることによって、該加入者回路各々から対応加入者端末には、障害発生を示す旨のトーキ音声が通知されるようにし、該トーキ音声が通知されている状態で、障害除去により正常状態に復帰された際には、加入者線多重分配装置から加入者回路各々への、トーキ音声の加入者端末への送出指示を示す制御信号は異常パターン信号に置換された状態として伝送され、加入者回路各々では、該異常パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、上位装置からの多重状態加入者回路制御信号が、加入者回路対応に分離された状態として該当加入者回路各々に伝送されるようにした加入者端末各々への障害情報通知方法。
【請求項７】
上位装置からの多重状態加入者回路制御信号が加入者線多重分配装置で加入者回路対応の加入者回路制御信号として分離された上、該当加入者回路各々に伝送されている状態で、加入者線多重分配装置において、該加入者線多重分配装置自体での障害発生、または上位装置からの多重状態加入者回路制御信号に対する常時監視により上位装置との間の接続回線の何れかでの障害発生が検出され、かつトーキ音声伝送路上に障害が発生した際には、該加入者線多重分配装置から加入者回路各々への加入者回路制御信号は一定処理パターン信号に置換された状態として伝送され、加入者回路各々では、該パターン信号にもとづき制御状態が直前正常状態に保持された状態で、該パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、障害発生を示す旨のトーキ音声が無音状態として、トーキ音声の加入者端末への送出指示を示す制御信号と多重化された状態として加入者回路各々に伝送されることによって、該加入者回路各々から対応加入者端末には、障害発生を示す旨のトーキ音声が無音状態として通知されるようにし、該トーキ音声が通知されている状態で、障害除去により正常状態に復帰された際には、加入者線多重分配装置から加入者回路各々への、トーキ音声の加入者端末への送出指示を示す制御信号は一定処理パターン信号に置換された状態として伝送され、加入者回路各々では、該パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、上位装置からの多重状態加入者回路制御信号が、加入者回路対応に分離された状態として該当加入者回路各々に伝送されるようにした加入者端末各々への障害情報通知方法。
【請求項８】
上位装置からの多重状態加入者回路制御信号が２重化加入者線多重分配装置各々で加入者回路対応の加入者回路制御信号として分離された上、現用系加入者線多重分配装置から該当加入者回路各々に伝送されている状態で、現用系加入者線多重分配装置において、該現用系加入者線多重分配装置自体での障害発生、または上位装置からの多重状態加入者回路制御信号に対する常時監視により上位装置との間の接続回線の何れかでの障害発生が検出された際には、該現用系加入者線多重分配装置から加入者回路各々への加入者回路制御信号は異常パターン信号に置換された状態として伝送され、加入者回路各々では、該異常パターン信号にもとづき制御状態が直前正常状態に保持された状態で、該異常パターン信号の一定時間ｔに亘る継続を以て該加入者回路状態が自己リセットされる一方、現用系加入者線多重分配装置では、加入者回路各々が自己リセットされるのに要される十分な時間Ｔ（＞ｔ）経過を待って、障害発生を示す旨のトーキ音声が現用系、予備系に共通に設けられているトーキ音声源としてのＲＯＭから、トーキ音声の加入者端末への送出指示を示す制御信号と多重化された状態のハイウェイ形式で加入者回路各々に伝送されることによって、該加入者回路各々から対応加入者端末には、障害発生を示す旨のトーキ音声が通知されるようにし、該トーキ音声が通知されている状態で、障害除去により正常状態に復帰された際には、現用系加入者線多重分配装置から加入者回路各々への、トーキ音声の加入者端末への送出指示を示す制御信号は異常パターン信号に置換された状態として伝送され、加入者回路各々では、該異常パターン信号の一定時間ｔに亘る継続を以て該加入者回路状態が自己リセットされる一方、現用系加入者線多重分配装置では、加入者回路各々が自己リセットされるのに要される十分な時間Ｔ（＞ｔ）経過を待って、上位装置からの多重状態加入者回路制御信号が、加入者回路対応に分離された状態として該当加入者回路各々に伝送されるようにした加入者端末各々への障害情報通知方法。
【請求項９】
上位装置からの多重状態加入者回路制御信号が加入者線多重分配装置で加入者回路対応の加入者回路制御信号として分離された上、該当加入者回路各々に伝送されている状態で、加入者線多重分配装置において、該加入者線多重分配装置自体での障害発生、または上位装置からの多重状態加入者回路制御信号に対する常時監視により上位装置との間の接続回線の何れかでの障害発生が検出された際には、該加入者線多重分配装置から加入者回路各々への加入者回路制御信号は異常パターン信号に置換された状態として伝送され、加入者回路各々では、該異常パターン信号にもとづき制御状態が直前正常状態に保持された状態で、該異常パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、障害発生を示す旨のトーキ音声が常時動作状態におかれているトーキ音声源としてのＲＯＭから、トーキ音声の加入者端末への送出指示を示す制御信号と多重化された状態として加入者回路各々に一斉に伝送されることによって、該加入者回路各々から対応加入者端末には、障害発生を示す旨のトーキ音声が通知されるようにし、該トーキ音声が通知されている状態で、障害除去により正常状態に復帰された際には、加入者線多重分配装置から加入者回路各々への、トーキ音声の加入者端末への送出指示を示す制御信号は異常パターン信号に置換された状態として伝送され、加入者回路各々では、該異常パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、上位装置からの多重状態加入者回路制御信号が、加入者回路対応に分離された状態として該当加入者回路各々に伝送されるようにした加入者端末各々への障害情報通知方法。
【発明の詳細な説明】
【０００１】
【発明の属する技術分野】
本発明は、上位装置からの多重状態加入者回路制御信号が加入者線多重分配装置で加入者回路対応の加入者回路制御信号として分離された上、該当加入者回路各々に伝送されている状態で、加入者線多重分配装置において、それ自体での障害発生、または上位装置からの多重状態加入者回路制御信号に対する常時監視により上位装置との間の接続回線の何れかでの障害発生が検出された際には、その加入者線多重分配装置から加入者回路各々を介し加入者端末に対しては、障害発生を示す旨のトーキ音声が通知されるようにした、加入者端末各々への障害情報通知方法に関するものである。
【０００２】
【従来の技術】
これまで、加入者線多重分配装置に関する従来技術としては、例えば特開平４ー２５６２６４号公報「電話交換網におけるトーキ送出方式」に記載されたものが知られている。これによる場合、加入者線多重分配装置では、上位回線に障害が生じた際、上位回線は分岐回線に切替えされた上、トーキ装置からの障害情報が分岐回線を介し加入者回線上に出力されることによって、上位回線での障害発生が加入者回路各々を介し加入者端末に通知されるものとなっている。
【０００３】
【発明が解決しようとする課題】
ところで、公報記載内容からは詳細は不明ながらも、上記公報には、以下のような事情が十分考慮されていないものとなっている。即ち、上位回線に障害が発生した際に、加入者回路一般は全て同一状態にあるとは限らなく、一般に各種状態にあると考えられ、したがって、各種状態にある加入者回路各々が一律にある状態に一斉に遷移されるべく制御されようとしても、加入者回路各々は一律にその状態には遷移されず、元の状態各々に対応して複数の状態に遷移されたり、異常な状態に遷移される虞があるというものである。
【０００４】
以上のような不具合を防止するには、状態遷移制御に先立って、加入者回路各々は一旦強制的に初期化される必要があると考えられるが、これまで、加入者回路各々には自己リセット機能が具備されていなく、したがって、加入者線多重分配装置からのリセット制御信号により加入者回路各々を一旦初期化せしめ、加入者端末各々へのサービスが停止された状態で、加入者回路各々からは、加入者線多重分配装置からのトーキ音声送出状態への状態遷移指示を待って、初めて加入者端末各々には、障害発生を示すトーキ音声が送出される必要があるものとなっている。さて、加入者端末各々にトーキ音声が送出されている状態で、その後、上位回線での障害が復旧された場合であるが、この場合にも、加入者線多重分配装置からのリセット制御信号により加入者回路各々は一旦初期化された状態で、加入者線多重分配装置上では、加入者回線との接続は、それまでの分岐回線から上位回線に切替えされることによって、以降、加入者回路各々では、上位装置からの加入者回路制御信号にもとづき、通常動作状態に復帰される必要があったものである。
【０００５】
よって、本発明の目的は、加入者線多重分配装置から加入者回路各々に対する強制的初期化制御不要として、即ち、加入者回路各々は特定の状態が一定時間ｔに亘って継続した場合に自動的に自己リセットされるものとして、加入者線多重分配装置では、それ自体での障害発生、または上位装置からの多重状態加入者回路制御信号に対する常時監視により上位装置との間の接続回線の何れかでの障害発生が検出された際には、その加入者線多重分配装置から加入者回路各々を介し加入者端末に対し、障害発生を示す旨のトーキ音声が通知され得る、加入者端末各々への障害情報通知方法を供するにある。
【０００６】
【課題を解決するための手段】
上記目的は、基本的には、上位装置からの多重状態加入者回路制御信号が加入者線多重分配装置で加入者回路対応の加入者回路制御信号として分離された上、該当加入者回路各々に伝送されている状態で、加入者線多重分配装置において、該加入者線多重分配装置自体での障害発生、または上位装置からの多重状態加入者回路制御信号に対する常時監視により上位装置との間の接続回線の何れかでの障害発生が検出された際には、該加入者線多重分配装置から加入者回路各々への加入者回路制御信号は異常パターン信号に置換された状態として伝送され、加入者回路各々では、該異常パターン信号にもとづき制御状態が直前正常状態に保持された状態で、該異常パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、障害発生を示す旨のトーキ音声が、トーキ音声の加入者端末への送出指示を示す制御信号と多重化された状態として加入者回路各々に伝送されることによって、該加入者回路各々から対応加入者端末には、障害発生を示す旨のトーキ音声が通知されるようにし、該トーキ音声が通知されている状態で、障害除去により正常状態に復帰された際には、加入者線多重分配装置から加入者回路各々への、トーキ音声の加入者端末への送出指示を示す制御信号は異常パターン信号に置換された状態として伝送され、加入者回路各々では、該異常パターン信号の一定時間ｔに亘る継続を以て該加入者回路状態が自己リセットされる一方、加入者線多重分配装置では、加入者回路各々が自己リセットされるのに要される十分な時間Ｔ（＞ｔ）経過を待って、上位装置からの多重状態加入者回路制御信号が、加入者回路対応に分離された状態として該当加入者回路各々に伝送されることで達成される。
【０００７】
【発明の実施の形態】
以下、本発明の実施形態を図１から図７により説明する。
先ず加入者回路各々にトーキ音声源が具備せしめられている場合での、加入者端末各々への障害情報通知方法について説明する。加入者回路各々にトーキ音声源を具備せしめることは、ハードウェア削減上、必ずしも望ましいとはいえないが、図１はそのような場合での本発明に係る加入者回路および加入者線多重分配装置による、加入者端末各々への障害情報通知方法を示したものである。図示のように、上位装置（具体的には、ネットワーク等を指す）１４各々からの多重状態加入者回路制御信号は接続回線を介し、加入者線多重分配装置５で加入者回路２対応の加入者回路制御信号として分離された上、加入者回線４を介し該当加入者回路２各々に伝送されている一方、加入者回路２各々にはまた、加入者端末１が収容された上、対応加入者回路２によりサービス制御されたものとなっている。さて、加入者線多重分配装置５および加入者回路２は本発明に直接係わるものとされているが、先ずは、これら加入者線多重分配装置５、加入者回路２各々での機能ブロック構成について説明すれば以下のようである。
【０００８】
即ち、加入者線多重分配装置５は、上位装置１４各々からの、多重状態にある加入者回路制御信号を分離した上、加入者回路２各々に伝送する分離処理部７と、上位装置１４各々との間の接続回線、および加入者線多重分配装置５自体での正常性を監視した上、障害発生／障害復旧の検出を行う障害検出部８と、障害検出部８で障害／障害復旧が検出された際に、加入者回路２各々を所望に制御する加入者制御部１０と、同じく障害検出部８で障害／復旧が検出された際に、異常パターン信号としての制御信号を加入者回路２各々に伝送するパターン変換部１３と、分離処理部７からの加入者回路制御信号、加入者制御部１０からの制御信号、パターン変換部１３からの異常パターン信号のうち、何れか１つを加入者回線４上に選択的に出力する切替部６と、障害検出部８で障害／復旧が検出された際に、切替部６を所望に切替制御する切替制御部１２とから構成されたものとなっている。また、加入者回路２には、既存機能の他に、加入者線多重分配装置５からの制御信号の正常性を監視するための監視部３が設けられたものとなっている。監視部３による監視結果として異常が検出された際には、その異常継続時間が監視された上、その継続時間が一定時間ｔに達するのを待って、監視部３により加入者回路２全体が自己リセットされているものである。因みに、上位装置１４各々からの加入者回路制御信号が正常であるか異常であるかは、一般にＳＤＨ（同期ディジタル・ハイアラーキ）上での伝送路障害検出機能（入力断・フレーム同期外れ等）により検出可とされている。
【０００９】
ここで、全体としての動作について説明すれば、障害検出部８では、加入者線多重分配装置５自体や、上位装置１４各々との間の接続回線での障害発生の有無が常時監視されている一方、監視部３ではまた、上位装置１４からの制御信号の正常性が一定時間毎に監視されたものとなっている。通常の場合、即ち、上位装置１４各々との間の接続回線、および加入者線多重分配装置５自体での障害発生が障害検出部８により検出されていない場合、上位装置１４各々からの、多重状態にある加入者回路制御信号および音声データは接続回線を介し、分離処理部７で加入者回路２対応の加入者回路制御信号および音声データとして分離された後、切替部６、加入者回線４を介し該当加入者回路２各々に伝送された上、音声データは加入者端末１に送出されるものとなっている。加入者端末１各々からの音声データはまた、それとは逆の経路を介し上位装置１４に伝送されているものである。
【００１０】
さて、そのような状態で、上位装置１４との間の接続回線の何れか、または加入者線多重分配装置５自体での障害発生が障害検出部８により検出された場合を想定すれば、この旨は加入者制御部１０、パターン変換部１３、切替制御部１２各々に通知されるものとなっている。この通知にもとづき、切替制御部１２により切替部６はパターン変換部１３からの異常パターン信号が選択出力される状態に切替された上、パターン変換部１３からの異常パターン信号が加入者回線４上に出力されているものである。これにより全加入者回路２には異常パターン信号が一斉に送出されるが、加入者回路２各々では、その監視部３で制御信号が異常パターンとなったことが認識されたことで、その制御状態が直前正常状態に保持された上、その異常パターン信号の継続状態が監視されているが、やがて、その異常パターン信号の一定時間ｔに亘る継続を以て、初めて加入者回路２各々はその回路状態が自己リセットされているものである。一方、切替制御部１２では、障害発生が通知された時点からの時間経過が内部カウンタ１８でカウントされているが、やがて、その時点から一定時間Ｔ（＞ｔ）が経過するのを待って、切替制御部１２により切替部６は加入者制御部１０からの制御信号が選択出力される状態に切替された上、加入者制御部１０からの制御信号（トーキ音声の送出を指示する旨の制御信号）が加入者回線４を介し全加入者回路２に一斉に送出されているものである。これにより全加入者回路２から加入者端末１にはトーキ音声が送出されることで、加入者側では、上位装置１４との間の接続回線の何れか、または加入者線多重分配装置５自体で障害が発生したことが容易に知れるものである。これ以降も、障害検出部８での引き続く監視により障害が継続状態にある限りにおいては、トーキ音声の送出を指示する旨の制御信号が全加入者回路２に連続的に送出され、加入者端末１にはトーキ音声が送出されているものである。
【００１１】
ここで、以上のように、加入者端末１にトーキ音声が送出されている状態で、上位装置１４との間の接続回線の何れか、または加入者線多重分配装置５自体での障害が復旧された場合を想定すれば、その旨はパターン変換部１３、切替制御部１２各々に通知されるものとなっている。この通知にもとづき、切替制御部１２により切替部６はパターン変換部１３からの異常パターン信号が選択出力される状態に切替された上、パターン変換部１３からの異常パターン信号が加入者回線４上に出力されているものである。この異常パターン信号にもとづき、全加入者回路２各々では、上記の場合と同様にして、その異常パターン信号の一定時間ｔに亘る継続を以て、初めてその回路状態が自己リセットされているものである。一方、切替制御部１２では、上記の場合と同様にして、障害復旧が通知された時点からの時間経過が内部カウンタ１８でカウントされているが、やがて、一定時間Ｔ（＞ｔ）が経過するのを待って、切替制御部１２により切替部６は分離処理部７側に切替接続された上、分離処理部７からの加入者回路対応加入者回路制御信号が加入者回線４を介し該当加入者回路２に送出されているものである。
【００１２】
以上の一連の処理により、上位装置１４との間の接続回線の何れか、または加入者線多重分配装置５自体での障害発生により中断状態におかれていた通信サービスは、その障害の復旧により再開され得るものであるが、以上の一連の処理シーケンスを図２に示す。これについては、以上の説明よりして明らかであるので、特に説明は要しない。
【００１３】
ところで、図１に示す障害情報通知方法では、上位装置１４との間の接続回線の何れかでの障害発生により全加入者端末１にトーキ音声が送出されているが、その障害発生に係る接続回線に収容されている加入者端末１にのみ、トーキ音声を送出することも可となっている。この場合での障害情報通知方法を図３に示す。図示のように、図１に示すものと実質的に異なるところは、切替制御部１２により切替部６各々が共通に切替制御されていなく、個々に切替制御されていることである。勿論、この場合には、障害検出部８から切替制御部１２には、障害発生／障害復旧に係る接続回線の位置／番号が特定された状態として通知されるものとなっている。この通知にもとづき切替制御部１２により、障害発生／障害復旧に係る接続回線対応に設けられている切替部６各々のみが、図１の場合と同様にして共通に切替制御されればよいものである。したがって、障害発生に何等係わらない接続回線に収容されている加入者端末１には、その障害発生とは無関係に通常の通信サービスが保障されているものであり、障害発生による影響は必要最小限に抑えられたものとなっている。
【００１４】
図４はまた、加入者線多重分配装置にトーキ音声源が具備せしめられている場合での障害情報通知方法を示したものである。一般に上位装置１４各々からは接続回線を介し、加入者回路制御信号と音声データが時分割多重された状態として分離処理部７各々に伝送されており、分離処理部７各々からはまた、それら加入者回路制御信号、音声データが加入者回路対応に時分割された状態（制御情報１ｃｈ、音声情報１ｃｈ、または制御情報１ｃｈ、データ情報２ｃｈ、加入者制御情報１ｃｈ）として分離された上、加入者回線４上に伝送されたものとなっている。したがって、障害発生の際には、その加入者回線４上での時分割伝送フォーマットに応じて、切替制御部１２による時分割多重制御下に、トーキ音声源９からのトーキ音声と、加入者制御部１０からの制御信号とが多重変換部１１で時分割多重された状態として加入者回線４上に伝送されるようにしたものである。
【００１５】
さて、その全体としての動作について説明すれば、上位装置１４との間の接続回線の何れか、または加入者線多重分配装置５自体で障害が発生した場合に、パターン変換部１３からの異常パターン信号により、全加入者回路２各々では、上記の場合と同様にして、その異常パターン信号の一定時間ｔに亘る継続を以て、初めてその回路状態が自己リセットされる一方、切替制御部１２では、障害発生が通知された時点からの時間経過が内部カウンタ１８でカウントされたものとなっている。これまでの場合と異なるところは、やがて、一定時間Ｔ（＞ｔ）が経過するのを待って、切替制御部１２により切替部６は多重変換部１１側に切替接続された上、多重変換部１１からは、トーキ音声源９からのトーキ音声と、加入者制御部１０からの制御信号（トーキ音声の送出を指示する旨の制御信号）とが時分割多重された状態として、加入者回線４を介し加入者回路２に送出されていることである。これにより全加入者回路２から加入者端末１にはトーキ音声が送出されることで、加入者側では、上位装置１４との間の接続回線の何れか、または加入者線多重分配装置５自体で障害が発生したことが容易に知れるものである。これ以降も、障害検出部８での引き続く監視により障害が継続状態にある限りにおいては、トーキ音声の送出を指示する旨の制御信号が全加入者回路２に連続的に送出され、加入者端末１にはトーキ音声が送出されているものである。
【００１６】
引き続き、加入者端末１にトーキ音声が送出されている状態で、障害が復旧された場合を想定すれば、その旨はパターン変換部１３、切替制御部１２各々に通知されるものとなっている。これによりパターン変換部１３からの異常パターン信号もとづき、全加入者回路２各々では、上記の場合と同様にして、その異常パターン信号の一定時間ｔに亘る継続を以て、初めてその回路状態が自己リセットされ、また、加入者線多重分配装置５では、障害復旧が通知された時点から一定時間Ｔ（＞ｔ）が経過するのを待って、分離処理部７からの加入者回路対応加入者回路制御信号が、加入者回線４を介し該当加入者回路２に送出されているものである。勿論、切替制御部１２により切替部６各々が個々に切替制御される場合には、障害発生に係る接続回線に収容されている加入者端末１にのみ、トーキ音声を送出することも可とされているものである。
【００１７】
ここで、上位装置１４各々からの加入者回路制御信号について言及すれば、図５に示すように、加入者回路制御信号は複数フレームとして構成された上、フレーム各々にフレーム先頭識別用マルチフレーム信号Ｆが含まれているとすれば、加入者回路２内の監視部３では、最下位ビットパターン（マルチフレーム信号パターン）が、例えば“１１０”状態にあるか否かを以て、その加入者回路制御信号としての正常／異常性が監視可とされたものとなっている。したがって、上位装置１４との間の接続回線の何れか、または加入者線多重分配装置５自体での障害発生が障害検出部８により検出された場合や、その障害が復旧された場合に、パターン変換部１３から送出される異常パターン信号として、最下位ビットパターンが、例えば“１１１”に設定された状態の制御信号が加入者回路２に送出される場合には、加入者回路２内の監視部３では、最下位ビットパターンが“１１１”状態にあり、したがって、マルチフレーム同期外れ状態にあることを以て、制御信号の異常性が容易に知れるものとなっている。
【００１８】
最後に、信頼性の向上を図るべく、加入者線多重分配装置５自体が２重化として構成された上、現用系装置、予備系装置各々に対しトーキ音声源が共通に設けられている場合での障害情報通知方法について説明する。図６に示すように、加入者線多重分配装置５全体は、２重化構成部分としての多重分離部１６１，１６２と、１重化構成部分としての警報収集部１７とから構成されたものとなっている。各種警報情報が収集されている警報収集部１７には、トーキ音声源９としてのＲＯＭが設けられているが、そのＲＯＭは常時動作状態におかれた上、そのＲＯＭからのトーキ音声が警報情報とともにハイウェイ形式で多重分離部１６１，１６２各々に送出されているものである。そのＲＯＭからのトーキ音声は、少なくとも現用系多重分離部１６１上では、レジスタ（図示せず）を介し読み出された上、加入者制御部１０からの加入者回路制御信号と多重変換部１１から多重化された状態として全加入者回路２側に送出可とされているものである。多重分離部１６１，１６２各々に対するトーキ音声源の一元化により、トーキ音声の更新・管理作業上での向上が図れるばかりか、併せてハードウェア量が削減可とされているものである。
【００１９】
図７はまた、その際に、２重化構成多重分離部までのトーキ音声伝送路上で障害が発生した場合での障害情報通知方法を示したものである。既述のように、上位装置１４との間の接続回線の何れか、または加入者線多重分配装置５自体での障害発生に伴い、ＲＯＭからのトーキ音声は、加入者制御部１０からの加入者回路制御信号と多重変換部１１から多重化された状態として全加入者回路２側に送出される必要がある。しかし、もしも、その際に、現用系多重分離部１６１までのトーキ音声伝送路上で障害が発生していれば、その旨は無音処理部１５に通知された上、その無音処理部１５からは、本来のトーキ音声に代わって、例えば無音データが読み出されるようにしたものである。この結果、加入者端末１側は無音状態におかれることになり、少なくとも雑音等の無意味な音が加入者により聴取されることはないものである。
【００２０】
【発明の効果】
以上、説明したように、請求項１〜９によれば、加入者線多重分配装置から加入者回路各々に対する強制的初期化制御不要として、即ち、加入者回路各々は特定の状態が一定時間ｔに亘って継続した場合に自動的に自己リセットされるものとして、加入者線多重分配装置では、それ自体での障害発生、または上位装置からの多重状態加入者回路制御信号に対する常時監視により上位装置との間の接続回線の何れかでの障害発生が検出された際には、その加入者線多重分配装置から加入者回路各々を介し加入者端末に対し、障害発生を示す旨のトーキ音声が通知され得るものとなっている。
【図面の簡単な説明】
【図１】図１は、本発明に係る加入者回路および加入者線多重分配装置による、一例での加入者端末各々への障害情報通知方法を示す図
【図２】図２は、その障害情報通知方法が実施される際での一連の処理シーケンスを示す図
【図３】図３は、障害発生に係る接続回線に収容されている加入者端末にのみトーキ音声が送出される場合での障害情報通知方法を示す図
【図４】図４は、加入者線多重分配装置にトーキ音声源が具備せしめられている場合での障害情報通知方法を示す図
【図５】図５は、加入者回路制御信号の複数フレームとしての構成を示す図
【図６】図６は、加入者線多重分配装置自体が２重化として構成された上、現用系装置、予備系装置各々に対しトーキ音声源が共通に設けられている場合での障害情報通知方法を示す図
【図７】図７は、その際に、２重化構成多重分離部までのトーキ音声伝送路上で障害が発生した場合での障害情報通知方法を示す図
【符号の説明】
１…加入者端末、２…加入者回路、３…監視部、４…加入者回線、５…加入者線多重分配装置、６…切替部、７…分離処理部、８…障害検出部、９…トーキ音声源、１０…加入者制御部、１１…多重変換部、１２…切替制御部、１３…パターン変換部、１４…上位装置、１５…無音処理部、１７…警報収集部、１６１，１６２…多重分離部
【図１】
0003555722.tif 000002
【図２】
0003555722.tif 000003
【図３】
0003555722.tif 000004
【図４】
0003555722.tif 000005
【図５】
0003555722.tif 000006
【図６】
0003555722.tif 000007
【図７】
0003555722.tif 000008